(57)【要約】【課題】電池残量が少なくなってシャットダウン処理が不可能になることがないようにする。【解決手段】外部機器と通信する通信ＯＮ／０ＦＦ制御部１１１ｂと、商用電源と商用電源以外に二次電池を有する補助電源１０５と、画像形成手段とを備え、コントローラ１１１によって各種モードに応じて各部の給電制御を実行する画像形成装置において、コントローラ１１１は、シャットダウン状態からＡＣ電源ＯＮになったとき、電池残量が所定量（５％）未満なら所定量になるまで充電し、充電完了するまでは通信ＯＮ／０ＦＦ制御部１１１ｂをＯＦＦとするとともに、各種操作入力を行う操作パネルからの操作入力を不能とする。【選択図】図３
2008233264.tif 000002
【特許請求の範囲】
【請求項１】
商用電源から直接給電される主電源と、前記主電源から充電される二次電池を有する補助電源と、画像形成手段とを備え、制御部によって各種モードに応じて各部の制御を実行する画像形成装置において、
前記制御部は、前記商用電源からの給電が接続されたとき、前記二次電池の残量が所定量未満であれば所定量になるまで充電を行うことを特徴とする画像形成装置。
【請求項２】
請求項１記載の画像形成装置において、
各種モードに応じて各部の給電制御を実行するコントローラ回路を備え、当該コントローラ回路は、シャットダウン状態からＡＣ電源ＯＮになったとき、電池残量が所定量未満なら所定量になるまで充電し、充電完了するまでは前記通信手段による通信をＯＦＦするとともに、各種操作入力を行う操作パネルからの操作入力を不能とすることを特徴とする画像形成装置。
【請求項３】
請求項１又は２記載の画像形成装置において、
前記所定量が５％であることを特徴とする画像形成装置。
【請求項４】
請求項２記載の画像形成装置において、
前記コントローラ回路は、充電省エネモードでかつ電池残量が所定量以上のとき、電源を前記補助電源に切り替え、前記電池の充電と前記商用電源からの入力を停止することを特徴とする画像形成装置。
【請求項５】
請求項４記載の画像形成装置において、
前記所定量が９５％であることを特徴とする画像形成装置。
【請求項６】
請求項４記載の画像形成装置において、
前記コントローラ回路は前記前記電池残量が残量１０％になるまで、前記電池の電力を使用することを特徴とする画像形成装置。
【請求項７】
請求項４ないし６のいずれか１項に記載の画像形成装置において、
前記コントローラ回路は、
ＡＣ電源ＯＮ、
ＡＣ：０Ｗ省エネモード、
電池残量１０％以下
の３つの条件をともに満足するときに、エンジンの省エネモードは維持したまま前記コントローラ回路の電源を前記商用電源に切り替え、前記二次電池を充電することを特徴とする画像形成装置。
【請求項８】
請求項１ないし７のいずれか１項に記載の画像形成装置において、
前記コントローラ回路は、前記電池の電力をＳＨＵＴ  ＤＯＷＮ準備モード時及びＡＣ：０Ｗ省エネモード時のみ使用させることを特徴とする画像形成装置。
【請求項９】
請求項１ないし７のいずれか１項に記載の画像形成装置において、
前記コントローラ回路は、前記電池の充電時には電池の電力を使用させず、前記電池を充電するときは満杯近くの予め設定された量まで継続して充電させることを特徴とする画像形成装置。
【請求項１０】
請求項１又は２記載の画像形成装置において、
前記電池の電力を使用するときは、当該電池の電力がなくなる直前まで継続して使用することを特徴とする画像形成装置。
【請求項１１】
商用電源から直接給電される主電源と、前記主電源から充電される二次電池を有する補助電源と、画像形成手段とを備え、制御部によって各種モードに応じて各部の制御を実行する画像形成装置の給電方法において、
前記制御部は、前記商用電源からの給電が接続されたとき、前記二次電池の残量が所定量未満であれば所定量になるまで充電を行うことを特徴とする画像形成装置の給電方法。
【請求項１２】
請求項１１記載の画像形成装置の給電制御方法において、
シャットダウン状態からＡＣ電源ＯＮになったとき、電池残量が所定量未満なら所定量になるまで充電し、充電完了するまでは外部機器との通信をＯＦＦするとともに、操作パネルからの操作入力を不能とすることを特徴とする画像形成装置の給電制御方法。
【請求項１３】
請求項１１記載の画像形成装置の給電制御方法において、
ＡＣ電源ＯＮ、
ＡＣ：０Ｗ省エネモード、
電池残量１０％以下
の３つの条件をともに満足するときに、エンジンの省エネモードは維持したままコントローラ回路の電源を前記商用電源に切り替え、前記二次電池を充電することを特徴とする画像形成装置の給電制御方法。
【発明の詳細な説明】
【技術分野】
【０００１】
本発明は省エネルギを促進するために二次電池を搭載し、コントローラ省エネ回路を備えた画像形成装置及びその給電制御方法に関する。
【背景技術】
【０００２】
従来、複写機、プリンタ、ファクシミリ等の画像形成装置に用いられている定着装置として加熱手段を内部に有する定着ローラ（加熱ローラ）を用いた熱ローラ定着方式が、低速機から高速機まで、また、モノクロ機からフルカラー機まで、幅広く採用されている。しかしながら、従来の熱ローラ定着方式の定着装置では、記録材やトナーを過熱する際に、熱容量の大きな定着ローラを加熱する必要があるため、エネルギ効率が悪く、省エネルギという観点からは不利であった。
【０００３】
ところで、熱電変換技術を用いた発電は、比較的低品質の熱においても直接電気に変換することが可能であり、現状の未利用の廃熱を回収できる技術であるため、最近のエネルギ問題や環境問題の深刻化に伴い、熱電変換技術に対する期待度はますます大きくなっている。
【０００４】
この熱電変換技術とは、異なる２種の金属やｐ型半導体とｎ型半導体等が対になった熱電変換材料に温度差を与えることによって両端に熱起電力が発生するゼーベック効果を利用して、熱エネルギを直接電力に変換する技術であり、モーターやタービン等の可動部を必要とせず、また、老廃物もないという優れた特徴を有している。
【０００５】
そこで、例えば特許文献１には、複写機、プリンタ、ファクシミリ等の画像形成装置において、記録紙上の未定着画像を熱により定着する定着手段から排出する熱を熱の影響を受けやすい周辺機器から絶縁し、また排出する熱の回収を行い、再利用し省エネルギ性を向上させるため、記録紙を給紙する給紙搬送手段と、前記記録紙に未定着画像を形成する未定着画像形成手段と、前記未定着画像を熱により定着する定着手段と、該定着手段によって画像が定着された記録紙を排紙する排紙搬送手段を備えた画像形成装置において、前記定着手段を断熱部材で包囲し、前記断熱部材は、表面に熱電変換素子を有し、さらに前記熱電変換素子により熱電変換した電力を蓄電する蓄電装置を有する発明が開示されている。
【０００６】
また、特許文献２には、記録材あるいは定着ローラから加圧ローラに移動した廃熱を再利用するため、互いに圧接する加熱ローラ及び加圧ローラを備え、トナー像を保持した記録材を前記加熱ローラと加圧ローラの圧接部にて加熱加圧しながら挟持搬送することによって、前記トナー像を前記記録材に定着させる定着装置を備えた画像形成装置において、加圧ローラの熱を熱電変換可能な熱電変換手段を備えた構成が開示されている。
【０００７】
さらに、特許文献３には、熱電変換手段を利用することにより、複写機、プリンタ、ファクシミリ等の電子写真画像形成装置、及び該画像形成装置を構成する付属装置から排出している熱を回収し、電気エネルギとして再利用するため、転写紙を給紙部から搬送する給紙搬送手段と、未定着画像を形成する画像形成手段と、未定着画像が形成された転写紙を熱により定着する定着手段と、前記定着手段の転写紙通過方向の下流側に転写紙を案内する搬送手段を備えた電子写真画像形成装置において、高温度排熱の熱電変換として第一の熱電変換手段及び、低温度排熱の熱電変換としての第二並びに第三の熱電変換手段を備えた発明が開示されている。
【０００８】
また、一般に利用されている印刷機、複写機、プリンタ、ファクシミリなどの画像形成装置は、近年、画像の再現性、安定性等の理由から、オフィス、あるいは、家庭等で普及しつつある。一方、この種の画像形成装置は、利用形態が製品の持つ性格上、電源を投入した状態で稼働しているのが通常であり、エネルギ消費の削減よりも、利便性を向上させることを図っていた。しかしながら、エネルギ消費の課題が顕在化した今日では、稼働時間よりも待機時間の方が長いという問題を併せ持つ熱定着部におけるエネルギ消費量の低減、あるいは、温暖化に影響する化石燃料等の枯渇資源エネルギ源の使用抑制が求められている。  
また、情報を取り扱う機器における電源の安定供給も求められており、この電源の安定供給に関して、集中型電源供給（火力、水力、原子力等）のインフラ状況で、安定化電源（ＵＰＳ）やキャパシタに代表されるバックアップ用蓄電器（二次電池）等を用いることによって対策がなされているのが現状である。
【特許文献１】特開２００５−３３８４３０号公報
【特許文献２】特開２００５−３０８８２６号公報
【特許文献３】特開２００５−０９９５２７号公報
【発明の開示】
【発明が解決しようとする課題】
【０００９】
このように従来の画像形成装置では、複数のエネルギ供給手段（エネルギ蓄積手段）として主電源の他に二次電池、キャパシタ、燃料電池のいずれかを用い、加熱定着動作のように消費電力が大きくなる状態に移行する期間にエネルギを付勢してその移行期間を短縮するとともにファーストコピータイムの縮減と省エネルギを図っている。しかし、この画像形成装置では、１つのエネルギ供給手段である主電源は交流商用ライン電源であり、他のエネルギ供給手段は副電源としてエネルギの一時的な付勢を行うための補助的な機能を受け持っている。
【００１０】
したがって、エネルギ供給源は全体として商用電源に頼らざるを得ない。また、燃料電池などの自発的発電手段を副電源として備えたとしても、このような自発的発電手段は上記移行期間に、蓄積した電気エネルギを用いて一時的にエネルギを付勢するための補助的手段でしかありえない。むしろ自発的発電手段を一時的なエネルギ付勢の補助として使用することは、常時エネルギを供給し得る自発的発電手段の前記補助使用によりエネルギ源（燃料）の浪費を招く原因になる。
【００１１】
以上より、従来の技術は、ファーストコピータイムの短縮化とともに省エネルギ化を目的とするが、この２つの背反的な目的に対する抜本的な解決策となっていない。その理由は、主電源たる交流商用電源（ライン電源）がエネルギ供給手段の大半を占め、副電源と位置付けた補助電源装置を採用してこれを受動的に適用しているため、補助電源装置である発電装置ないし蓄電装置のエネルギ駆動源としての使い方が限定的になっているからである。その結果、省エネルギモード時の電力維持や立ち上げ時間の短縮化（ファーストコピータイムの削減）などには相応の効果があるにしても、画像形成装置が設置されるサイト（配備場所）全てのエネルギ使用形態を総体として捉え、画像形成装置が設置される孤立空間を越えて、画像形成装置間のエネルギ消費を積極的に分担するような合理的かつ協調的な使い方になっていない、という点が難点であった。そのため、シャットダウン処理すべき状態になったときに、シャットダウン処理を実行できるだけの電力が残っていないことがあり、シャットダウン処理を実行できるだけの電力が残っていないと、シャットダウン処理を行わないでシステムダウンすることになる。
【００１２】
そこで、本発明が解決すべき課題は、電池残量が少なくなってシャットダウン処理が不可能になることがないようにすることにある。
【課題を解決するための手段】
【００１３】
前記課題を解決するため、第１の手段は、商用電源から直接給電される主電源と、前記主電源から充電される二次電池を有する補助電源と、画像形成手段とを備え、制御部によって各種モードに応じて各部の制御を実行する画像形成装置において、前記制御部は、前記商用電源からの給電が接続されたとき、前記二次電池の残量が所定量未満であれば所定量になるまで充電を行うことを特徴とする。
【００１４】
第２の手段は、第１の手段において、各種モードに応じて各部の給電制御を実行するコントローラ回路を備え、当該コントローラ回路は、シャットダウン状態からＡＣ電源ＯＮになったとき、電池残量が所定量未満なら所定量になるまで充電し、充電完了するまでは前記通信手段による通信をＯＦＦするとともに、各種操作入力を行う操作パネルからの操作入力を不能とすることを特徴とする。
【００１５】
第３の手段は、第１又は第２の手段において、前記所定量が５％であることを特徴とする。
【００１６】
第４の手段は、第１又は第２の手段において、前記コントローラ回路は、充電省エネモードでかつ電池残量が所定量以上のとき、電源を前記補助電源に切り替え、前記電池の充電と前記商用電源からの入力を停止することを特徴とする。
【００１７】
第５の手段は、第４の手段において、前記所定量が９５％であることを特徴とする。
【００１８】
第６の手段は、第４の手段において、前記コントローラ回路は前記電池残量が残量１０％になるまで、前記電池の電力を使用することを特徴とする。
【００１９】
第７の手段は、第４ないし第６のいずれかの手段において、前記コントローラ回路は、ＡＣ電源ＯＮ、ＡＣ：０Ｗ省エネモード、電池残量１０％以下、の３つの条件をともに満足するときに、エンジンの省エネモードは維持したまま前記コントローラ回路の電源を前記商用電源に切り替え、前記二次電池を充電することを特徴とする。
【００２０】
第８の手段は、第１ないし第７のいずれかの手段において、前記コントローラ回路が前記電池の電力をＳＨＵＴ  ＤＯＷＮ準備モード時及びＡＣ：０Ｗ省エネモード時のみ使用させることを特徴とする。
【００２１】
第９の手段は、第１ないし第７のいずれかの手段において、前記コントローラ回路は、前記電池の充電時には電池の電力を使用させず、前記電池を充電するときは満杯近くの予め設定された量まで継続して充電させることを特徴とする。
【００２２】
第１０の手段は、第１又は第２の手段においてエレベータ、前記電池の電力を使用するときは、当該電池の電力がなくなる直前まで継続して使用することを特徴とする。
【００２３】
第１１の手段は、商用電源から直接給電される主電源と、前記主電源から充電される二次電池を有する補助電源と、画像形成手段とを備え、制御部によって各種モードに応じて各部の制御を実行する画像形成装置の給電方法において、前記制御部は、前記商用電源からの給電が接続されたとき、前記二次電池の残量が所定量未満であれば所定量になるまで充電を行うことを特徴とする。
【００２４】
第１２の手段は、第１１の手段において、シャットダウン状態からＡＣ電源ＯＮになったとき、電池残量が所定量未満なら所定量になるまで充電し、充電完了するまでは外部機器との通信をＯＦＦするとともに、操作パネルからの操作入力を不能とすることを特徴とする。
【００２５】
第１３の手段は、第１１の手段において、ＡＣ電源ＯＮ、ＡＣ：０Ｗ省エネモード、電池残量１０％以下の３つの条件をともに満足するときに、エンジンの省エネモードは維持したままコントローラ回路の電源を前記商用電源に切り替え、前記二次電池を充電することを特徴とする。
【００２６】
なお、後述の実施形態では、通信手段は通信ＯＮ／ＯＦＦ制御部１１１ｂに、二次電池を有する補助電源は電源と充電制御部１０５に、画像形成手段はＰＴＲに、コントローラ回路は符号１１１に、それぞれ対応し、各種モードとその遷移状態は、条件とともに、図４に示されている。
【発明の効果】
【００２７】
本発明によれば、商用電源からの給電が接続されたとき、前記二次電池の残量が所定量未満であれば所定量になるまで充電を行うので、電池残量が少なくなってシャットダウン処理が不可能になることがないようにすることができる。
【発明を実施するための最良の形態】
【００２８】
図１は、本実施形態に係る画像形成システムのシステム構成を示す図である。同図において、本実施形態に係る画像形成システムは、ネットワークＮＴを介してホストＰＣと画像形成装置ＰＲが接続されたシステムである。画像形成装置は、カラープリンタＰＴＲに対してスキャナＳＣＲ、自動原稿供給装置ＡＤＦ、及びソータ１１を備えており、パーソナルコンピュータ（以下、ＰＣと称す）等のホストＰＣから、ネットワークＮＴを通じて、画像情報である印刷データが与えられると、その印刷データをプリントアウト（画像出力）する。この画像形成装置ＰＲは、複合機能があるデジタルカラー複写機であり、前述のようにプリンタとして機能するだけでなく、自身で原稿のコピーを生成することもできる。また、画像形成装置ＰＲには、画像形成装置ＰＲに対して脱着可能な補助電池装置５０と、補助電池装置５０に対して脱着可能な二次電池５２が搭載されている。なお、画像形成装置ＰＲの前面側の上部には操作パネルＯＰＢが設けられている。
【００２９】
図２は図１におけるプリンタＰＴＲの概略構成を示す図である。プリンタＰＴＲは電子写真方式のレーザ走査型のカラープリンタであり、作像装置、給紙装置（バンク）、両面給紙装置、及び後処理装置（ソータ）１１によって構成されている。作像装置は、感光体１、メインチャージャ２、レーザ走査器３、現像装置４、転写ベルト６、転写分離チャージャ８、搬送ベルト９及び定着器１０から主に構成されている。
【００３０】
レーザ走査器３には、Ｂｋ（黒），Ｙ（イエロー），Ｍ（マゼンタ），Ｃ（シアン）の各色の成分に分解された画像データが、各色単位で与えられる。各色単位が１画像形成単位である。単色記録のときには、上記４色の内の一色の画像データがレーザ走査器３に与えられる。感光体１は定速度で回転駆動され、メインチャージャ２にて荷電された電位はクエンチングランプＱＬで適正電位に調整される。そして帯電面に、レーザ走査器３が画像データで変調したレーザを走査投射する。これにより、画像データに対応する静電潜像が感光体１に形成される。この静電潜像が、回転位置決め方式の現像装置４の画像形成指定色（例えばＢｋ）に対応する色の現像トナーを有する現像器（Ｂｋ）にて現像されて顕像すなわちトナー像となる。トナー像は、転写チャージャ５によって転写ベルト６に転写され、転写分離チャージャ８によってレジストローラ７で送り込まれる転写紙に転写される。トナー像が転写された転写紙は搬送ベルト９によって定着器１０に送り込まれる。
【００３１】
定着器１０は加熱及び加圧により転写紙上のトナー像を転写紙に固定する。定着を終えた転写紙は、ソータ１１に排出される。トナー像の転写を終えた感光休面はクリーニング装置１２でクリーニングされる。転写ベルト６の転写を終えた面はクリーニングブレード１３で拭われる。感光体１を臨む所定の位置にはＰセンサと呼ばれる感光体１面上のトナー濃度を検出する反射型の光センサ１４が配置され、転写ベルト６の基準位置を示すマークを検出する反射型の光センサ１５が転写ベルト６の内側に設けられている。また、定着ローラ１０のローラに対向する位置には定着ローラの温度を検出する温度センサ１６が設けられている。
【００３２】
２色以上のカラー重ね記録（最も代表的なものはフルカラー記録）のときには、前述の感光体１上へのトナー像の形成と転写ベルト６への転写が、各色分繰り返されて転写ベルト６上において各色トナー像が重畳され、所要色分の重ね転写を終えてから、一度に転写紙に転写される。
【００３３】
図３は図１に示した画像形成装置ＰＲの給電部を含むシステム構成を示すブロック図である。同図において、画像形成装置ＰＲに給電する場合、図示しないコンセントに接続されたプラグ１００から主電源スイッチ１０１、ＡＣ  ＯＮ／ＯＦＦセンサ１０２、ＡＣカット装置１０３を経て本体及び主要回路への給電装置（ＰＳＵ）１０４にＡＣ電源を供給し、ＰＳＵ１０４でＡＣをＤＣに変換し、画像形成装置ＰＲの各部にＤＣ電源を供給する。
【００３４】
一方、ＰＳＵ１０４は１つのモジュールとなっている二次電池とその充電制御部１０５（以下、単に二次電池と称する）に接続されている。二次電池１０５は電源セレクタ１０６を介して画像形成装置ＰＲの制御回路のコントローラ１１１に接続されている。電源セレクタ１０６はコントローラ１１１に電源供給を行う場合に、二次電池１０５のＤＣ放電あるいはメインＰＳＵ１０４からのＤＣ電源のいずれかを選択する。
【００３５】
コントローラ１１１は、マイコン１１１ａ及び通信インターフェース制御部１１１ｂを備え、マイコン１１１ａによって画像形成装置ＰＲの主要部の制御を実行するとともに、通信インターフェース制御部１１１ｂによってネットワーク、ＵＳＢ、電話回線、無線ＬＡＮ等を介して外部機器との通信制御を実行する。
【００３６】
前記ＡＣ  ＯＮ／ＯＦＦセンサはＡＣ  ＯＮ／ＯＦＦ状態信号をコントローラ１１１に入力する。一方、コントローラ１１１からは、ＡＣカット装置１０３にＡＣカットする／しない制御信号が、二次電源１０５には電池充電する／しない制御信号が、それぞれ入力される。また、コントローラ１１１は電源セレクタ１０６に電源セレクト信号を出力する。
【００３７】
電源セレクタ１０６はコントローラ１１１からの電源セレクト信号により、ＰＳＵ１０４から給電／二次電池から給電／ＯＦＦのいずれかを選択する。
【００３８】
図４は図３のシステム構成におけるシステム状態の遷移図である。
【００３９】
図４の状態遷移図では、白抜きがＯＦＦを、網点が省エネモード（電池給電）を、ハッチングがＡＣ電源供給をそれぞれ示す。図５の状態では、
１）ＳＨＵＴＤＯＷＮモード（Ｍ１）
２）電池残量確保モード（Ｍ２）
３）電池交換モード（Ｍ３）
４）ＳＨＵＴＤＯＷＮ準備モード（Ｍ４）
５）充電スタンバイモード（Ｍ５）
６）充電省エネモード（Ｍ６）
７）スタンバイモード（Ｍ７）
８）動作モード（Ｍ８）
９）省エネモード（Ｍ９）
の１０のモードが設定される。各モード時の各部の状態は以下の通りである。  
１）ＳＨＵＴＤＯＷＮモード  Ｍ１
ＡＣ電源              ＝  ＯＦＦ
ＡＣ  ＣＵＴ          ＝  しない
充電                  ＝  しない
コントローラ電源      ＝  ＯＦＦ
電池残量              ＝  ０〜１００％
通信                  ＝  ＯＦＦ
操作パネルからの操作  ＝  不可
２）電池残量確保モード  Ｍ２
ＡＣ電源              ＝  ＯＮ
ＡＣ  ＣＵＴ          ＝  しない
充電                  ＝  する
コントローラ電源      ＝  ＰＳＵ
電池残量              ＝  ０〜１００％
通信                  ＝  ＯＦＦ
操作パネルからの操作  ＝  不可
３）電池交換モード  Ｍ３
ＡＣ電源              ＝  ＯＮ
ＡＣ  ＣＵＴ          ＝  しない
充電                  ＝  しない
コントローラ電源      ＝  ＰＳＵ
電池残量              ＝  ０％
通信                  ＝  ＯＦＦ
操作パネルからの操作  ＝  不可
４）ＳＨＵＴＤＯＷＮ準備モード  Ｍ４
ＡＣ電源              ＝  ＯＦＦ
ＡＣ  ＣＵＴ          ＝  しない
充電                  ＝  しない
コントローラ電源      ＝  電池
電池残量              ＝  １〜９５％
通信                  ＝  ＯＦＦ
操作パネルからの操作  ＝  不可
５）充電スタンバイモード  Ｍ５
ＡＣ電源              ＝  ＯＮ
ＡＣ  ＣＵＴ          ＝  しない
充電                  ＝  する
コントローラ電源      ＝  ＰＳＵ
電池残量              ＝  ５〜９４％
通信                  ＝  ＯＮ
操作パネルからの操作  ＝  可能
６）充電省エネモード  Ｍ６
ＡＣ電源              ＝  ＯＮ
ＡＣ  ＣＵＴ          ＝  しない
充電                  ＝  する
コントローラ電源      ＝  ＰＳＵ
電池残量              ＝  １０〜９４％
通信                  ＝  ＯＮ
操作パネルからの操作  ＝  サブ電源キーのみ可能
７）スタンバイモード  Ｍ７
ＡＣ電源              ＝  ＯＮ
ＡＣ  ＣＵＴ          ＝  しない
充電                  ＝  しない
コントローラ電源      ＝  ＰＳＵ
電池残量              ＝  １１〜９５％
通信                  ＝  ＯＮ
操作パネルからの操作  ＝  可能
８）プロッタ、スキャン、ＨＤＤ動作モード  Ｍ８
ＡＣ電源              ＝  ＯＮ
ＡＣ  ＣＵＴ          ＝  しない
充電                  ＝  しない
コントローラ電源      ＝  ＰＳＵ
電池残量              ＝  ５〜９５％
通信                  ＝  ＯＮ
操作パネルからの操作  ＝  可能
９）ＡＣ・０Ｗ  電池駆動省エネモード  Ｍ９
ＡＣ電源              ＝  ＯＮ  ｏｒ  ＯＦＦ
ＡＣ  ＣＵＴ          ＝  する
充電                  ＝  しない
コントローラ電源      ＝  電池
電池残量              ＝  １１〜９５％
通信                  ＝  ＯＮ
操作パネルからの操作  ＝  サブ電源キーのみ可能
前記各モードは以下のように遷移する。  
・ＳＨＵＴＤＯＷＭモードＭ１でＡＣ  ＯＮしたら（Ｃ１）、電池残量確保モードＭ２に移行する。  
・電池残量確保モードＭ２で電池残量が５％未満の場合（Ｃ２）、強制的に充電する。  
・電池残量確保モードＭ２で電池残量が５％以上の場合、コントローラ電源をＯＮし（Ｃ３）、充電スタンバイモードＭ５に移行する。
【００４０】
・電池残量確保モードＭ２で電池不良なら（Ｃ４）、電池交換モードＭ３に移行する。  
・充電スタンバイモードＭ５で電池残量が９５％以上になったら（Ｃ５）、スタンバイモードＭ７に移行する。  
・充電スタンバイモードＭ５で電池不良なら（Ｃ６）、電池交換モードＭ３に移行する。  
・スタンバイモードＭ７で動作開始要求がきたら（Ｃ７）、動作モードＭ８に移行する。  
・スタンバイモードＭ７で電池残量が１０％以下になったら（Ｃ８）、充電スタンバイモードＭ５に移行する。  
・動作モードＭ８で動作が停止したら（Ｃ９）、スタンバイモードＭ７に移行する。  
・スタンバイモードＭ７で規定時間が経過したら（Ｃ１０）、省エネモードＭ９に移行する。  
・スタンバイモードＭ７又は充電スタンバイモードＭ５でキー操作したら（Ｃ１１）、ＳＨＵＴＤＯＷＮ準備モードＭ４に移行する。  
・充電スタンバイモードＭ５で動作開始要求がきたら（Ｃ１２）、動作モードＭ８に移行する。  
・充電スタンバイモードＭ５で規定時間が経過したら（Ｃ１３）、充電省エネモードＭ６に移行する。  
・充電省エネモードＭ６で動作開始要求がきたら（Ｃ１４）、動作モードＭ８に移行する。  
・充電省エネモードＭ６で電池残量が９５％以上になったら（Ｃ１５）、省エネモードＭ９に移行する。  
・省エネモードＭ９で動作開始要求がきたら（Ｃ１６）、動作モードＭ８に移行する。  
・省エネモードＭ９で電池残量が１０％以下になったら（Ｃ１７）、充電省エネモードＭ６に移行する。  
・充電省エネモードＭ６で電池不良なら（Ｃ１８）、電池交換モードＭ３に移行する。  
・電池交換モードＭ３で電池交換したら（Ｃ１９）、電池残量確保モードＭ２に移行する。  
・電池残量確保モードＭ２又は電池残量確保モードＭ２でＡＣ電源がＯＦＦしたら（Ｃ２０）、ＳＨＵＴＤＯＷＮモードＭ１に移行する。  
・省エネモードＭ９で電池残量が１０％以下かつＡＣ電源がＯＦＦしたら（Ｃ２１）、ＳＨＵＴＤＯＷＭ準備モードＭ４に移行する。  
・充電スタンバイモードＭ５、スタンバイモードＭ７、動作モードＭ８あるいは充電省エネモードＭ６でＡＣ電源がＯＦＦしたら（Ｃ２２）、ＡＣ０Ｗ省エネモードＭ９に移行する。
【００４１】
・ＳＨＵＴＤＯＷＮモードＭ４でＳＨＵＴＤＯＷＮ準備できたらコントローラ電源をＯＦＦし（Ｃ２３）、ＳＨＵＴＤＯＷＮモードＭ１に移行する。
【００４２】
このようにモードを設定し、二次電池１０５からの給電とＰＳＵ１０４からの給電を設定すると、電池残量確保モードＭ２、充電スタンバイモードＭ５、及び充電省エネモードＭ６の３つのモードでは、二次電池１０５に対して充電を行う。
【００４３】
本実施形態では、シャットダウンＭ１状態からＡＣ電源ＯＮになったとき（Ｃ１）、電池残量確保モードＭ２に移行し、電池残量が５％未満なら５％になるまで充電し、充電完了するまでは通信はＯＦＦされ、操作パネルＯＰＢからの操作もできなくする。ここで５％としているのは、シャットダウン処理には電池の最大貯蓄可能電力の３％を使用すると仮定しているからである。シャットダウン処理に必要な電力が変化すれば前記残量は前記必要な電力に応じて変化する。このように処理することにより、シャットダウンに必要な電力を確保することが可能となる。
【００４４】
また、充電省エネモードＭ６でかつ電池残量９５％以上のとき、電源を二次電池１０５に切り替え、電池の充電を止め、ＡＣ入力をカットし、ＡＣ：０Ｗ省エネモードＭ９に移行する。このＡＣ：０Ｗ省エネモードでは、電池残量が１０％になるまで、電池の電力を使い続ける（Ｃ２１）。これにより、ＡＣ：０Ｗが実現できる。また、ＡＣ／ＤＣコンバータのロスをなくすこと、及び、二次電池１０５の充放電サイクルをなるべく長くし、電池の寿命を延ばすことができる。
【００４５】
また、ＡＣ電源ＯＮ時でかつＡＣ：０Ｗ省エネモードでかつ電池残量１０％以下のとき、エンジンの省エネモードは維持したままコントローラ電源をＰＳＵに切り替え、電池を充電する。すなわち、ＡＣ：０Ｗ省エネモードＭ９から充電省エネモードＭ６に移行する。これにより、二次電池の電池切れを防止することができる。
【００４６】
なお、図４から分かるように二次電池１０５の電力はＳＨＵＴ  ＤＯＷＮ準備モードＭ４とＡＣ：０Ｗ省エネモードＭ９の場合のみ使用する。これにより二次電池を長持ちさせることができる。
【００４７】
また、二次電池のメモリ効果を避けるため、電池を充電しながら電池の電力を使用することはしない。充電するときは満杯近くなるまでずっと充電し、使うときは電力がなくなる直前まで使い続ける。これにより、電池の充放電サイクルをなるべく長くし、電池の寿命を延ばすことができる。
【００４８】
図５は本実施形態に係る画像形成装置ＰＲの４つのモードを示す説明図である。この４つのモードとは、コントローラオフモードＱ１、エンジンオフモードＱ２、静音立ち上げモードＱ３及びスタンバイモード又は動作モードＱ４である。
【００４９】
コントローラオフモードＱ１は、コントローラオプションや操作パネルオプションがない場合に遷移できるもので、
１）コントローラのメモリ（ただし、セルフリフレッシュ状態）
２）コントローラのメモリコントローラ
３）オプションＦＣＵ
４）パワーマネージメント
５）ネットワークインターフェース
６）ＵＳＢインターフェース
の機能が使用できる状態となっている。これらの各部は通常動作及び省エネ状態であっても常にＯＮとなっている。
【００５０】
エンジンオフオプションＱ２はコントローラオプション又は操作パネルオプションがある場合に遷移できるもので、
１）コントローラのメモリ（通常状態）
２）コントローラオプション（無線ＬＡＮ、フォーマット変換アクセラレータ、連結インターフェース（ＩＥＥＥ１３９４）、操作パネルオプション）
の機能が仕様できる状態となっている。
【００５１】
静音立ち上げモードＱ３では、ＨＤＤアクセスのみが使用できる。
【００５２】
スタンバイモード又は動作モードＱ４では、
１）定着ヒータ動作
２）印字動作
３）スキャナ動作
４）フィニッシャ動作
５）操作パネル表示、操作可能
の各機能が使用できる状態となっている。前記各機能が使用可能なので、このモードＱ４では画像形成動作が実行できることになる。
【００５３】
このうち省エネモードはコントローラオフモードＱ１、エンジンオフモードＱ２、静音立ち上げモードＱ３の３つのモードであり、大きな円から内側の小さな円の方向が省エネモードが進む方向で、内側の小円のモードほど省エネの度合いが大きいことを意味している。
【００５４】
以上のように、本実施形態によれば、
１）シャットダウン処理できる電力を確保することができる。  
２）ＡＣ：０Ｗが実現でき、ＡＣ／ＤＣコンバータのロスをなくすことが可能となる。  
３）電池の充放電サイクルをなるべく長くし、電池の寿命を延ばすことができる。  
４）電池残量１０％以下のとき、エンジンの省エネモードは維持したままコントローラ電源をＰＳＵに切り替え、電池を充電するので、電池切れを防止することができる。  
５）電池の電力はＳＨＵＴ  ＤＯＷＮ準備モードとＡＣ：０Ｗ省エネモードのみ使用するので、電池を長持ちさせることができる。  
６）電池を充電しながらの電池の電力の使用は行わず、充電するときは満杯近くなるまでずっと充電し、使うときは電力が無くなる直前まで使い続けるので、電池の充放電サイクルをなるべく長くし、電池の寿命を延ばすことができる。  
等の効果を奏する。
【図面の簡単な説明】
【００５５】
【図１】本発明の実施形態に係る画像形成システムのシステム構成を示す図である。
【図２】図１におけるプリンタの概略構成を示す図である。
【図３】図１に示した画像形成装置の給電部を含むシステム構成を示すブロック図である。
【図４】図３のシステム構成におけるシステム状態の遷移図である。
【図５】本実施形態における画像形成装置のモードを示す説明図である。
【符号の説明】
【００５６】
１０４  ＰＳＵ
１０５  二次電池（及び充電制御部）
１０６  電源セレクタ
１１１  コントローラ
１１１ａ  マイコン
１１１ｂ  通信制御部
ＯＰＢ  操作パネル
ＰＲ  画像形成装置
【図１】
2008233264.tif 000003
【図２】
2008233264.tif 000004
【図３】
2008233264.tif 000005
【図４】
2008233264.tif 000006
【図５】
2008233264.tif 000007